(57)【要約】【課題】ＬＥＤ照明器具に適合する電源分岐盤の設置作業を効率よく実施すること。【解決手段】実施形態に係る電源分岐盤は、調光ブロックと、電源分岐ブロックとを具備する。調光ブロックは、主幹盤の二次側に接続される複数の調光部であって、サイリスタと第１遮断器と調光回路とを有する複数の調光部がブロック化される。電源分岐ブロックは、主幹盤の二次側に接続される複数の電源分岐部であって、第２遮断器と直回路とを有する複数の電源分岐部がブロック化される。【選択図】図２Ｃ
2018206473.tif 000002
【特許請求の範囲】
【請求項１】
主幹盤の二次側に接続される複数の調光部であって、サイリスタと第１遮断器と調光回路とを有する複数の前記調光部がブロック化された調光ブロックと；
前記主幹盤の二次側に接続される複数の電源分岐部であって、第２遮断器と直回路とを有する複数の前記電源分岐部がブロック化された電源分岐ブロックと；  
を具備する電源分岐盤。
【請求項２】
前記調光ブロックと前記電源分岐ブロックとが、それぞれ既設のフレームが有する複数の取付部であって、サイズが略等しい前記取付部に合わせて実装される
請求項１に記載の電源分岐盤。
【請求項３】
前記調光ブロックと前記電源分岐ブロックとは、前記取付部に取付け可能なサイズである
請求項２に記載の電源分岐盤。
【請求項４】
１つの前記調光ブロックに含まれる前記調光部より、１つの前記電源分岐ブロックに含まれる前記電源分岐部のほうが多い
請求項２または３に記載の電源分岐盤。
【請求項５】
前記電源分岐部を制御する制御部をさらに具備する
請求項１〜４のいずれか一つに記載の電源分岐盤。
【請求項６】
前記制御部は、
前記第２遮断器の補助接点から前記第２遮断器のＯＮ／ＯＦＦ情報を検出し、
前記ＯＮ／ＯＦＦ情報を所定の表示装置に送信する
請求項５に記載の電源分岐盤。
【請求項７】
前記電源分岐部は、
前記第２遮断器の二次側に接続される電流センサをさらに具備し、
前記制御部は、
前記電流センサから受信した電流値に基づいて、前記電流値または過負荷警報の少なくとも一方を所定の表示装置に送信する
請求項５または６に記載の電源分岐盤。
【請求項８】
前記電源分岐部は、
前記第２遮断器の二次側に接続される漏電センサをさらに具備し、
前記制御部は、
前記漏電センサから受信した漏電値に基づいて、前記漏電値または漏電警報の少なくとも一方を所定の表示装置に送信する
請求項５〜７のいずれか一つに記載の電源分岐盤。
【請求項９】
主幹盤の二次側に接続される複数の調光部であって、サイリスタと第１遮断器と調光回路とを有する複数の前記調光部がブロック化された調光ブロックと、前記調光ブロックが取付けられる取付部を具備するフレームと、を具備する電源分岐盤から前記調光ブロックを取り外す取外しステップと；
前記主幹盤の二次側に接続される複数の電源分岐部であって、第２遮断器と直回路とを有する複数の前記電源分岐部がブロック化された電源分岐ブロックを、前記調光ブロックが取り外された前記取付部に取付ける取付けステップと；
を含む電源分岐盤の取付方法。
【請求項１０】
前記取付けステップは、
１つの前記調光ブロックに含まれる前記調光部よりも多くの前記電源分岐部を含む前記電源分岐ブロックを取り付ける
請求項９に記載の電源分岐盤の取付方法。
【請求項１１】
前記取付けステップは、
前記調光ブロックを取り外した前記取付部に取付け可能なサイズである前記電源分岐ブロックを取り付ける
請求項９または１０に記載の電源分岐盤の取付方法。
【請求項１２】
前記取付けステップは、
前記電源分岐部を制御する制御部をさらに取り付ける
請求項９〜１１のいずれか一つに記載の電源分岐盤の取付方法。
【請求項１３】
前記取付けステップは、
前記第２遮断器の補助接点から前記第２遮断器のＯＮ／ＯＦＦ情報を検出し、前記ＯＮ／ＯＦＦ情報を所定の表示装置に送信する前記制御部を取り付ける
請求項１２に記載の電源分岐盤の取付方法。
【請求項１４】
前記取付けステップは、
前記第２遮断器の二次側に接続される電流センサをさらに具備する前記電源分岐部と；  前記電流センサから受信した電流値に基づいて、前記電流値または過負荷警報の少なくとも一方を所定の表示装置に送信する前記制御部と；
を取り付ける請求項１２または１３に記載の電源分岐盤の取付方法。
【請求項１５】
前記取付けステップは、
前記第２遮断器の二次側に接続される漏電センサをさらに具備する前記電源分岐部と；
前記漏電センサから受信した漏電値に基づいて、前記漏電値または漏電警報の少なくとも一方を所定の表示装置に送信する前記制御部と；
を取り付ける請求項１２〜１４のいずれか一つに記載の電源分岐盤の取付方法。
【発明の詳細な説明】
【技術分野】
【０００１】
本発明の実施形態は、電源分岐盤および電源分岐盤の取付方法に関する。
【背景技術】
【０００２】
従来、スタジオや舞台等は、複数の照明器具により照明演出がなされており、各照明器具側に設定される制御アドレスを用いて、操作卓が各照明器具を遠隔制御する照明制御システムが導入されている。このような照明制御システムでは、電源分岐盤が、照明器具に接続される回路への供給電力を制御する。
【０００３】
また近年、ハロゲンランプ等を用いた照明器具（以下、ハロゲン照明器具とも呼称する。）から、ＬＥＤ照明を用いた照明器具（以下、ＬＥＤ照明器具とも呼称する。）への切り替えが進みつつある。このとき、電源分岐盤も、ＬＥＤ照明器具に適合する電源分岐盤に交換する必要がある。しかしながら、ハロゲン照明器具用の電源分岐盤すべてを取り外して、ＬＥＤ照明器具用の電源分岐盤に交換しようとした場合、電源分岐盤の設置作業に多くの時間がかかってしまう。
【先行技術文献】
【特許文献】
【０００４】
【特許文献１】特開２００４−２４７２７３号公報
【発明の概要】
【発明が解決しようとする課題】
【０００５】
本発明が解決しようとする課題は、ＬＥＤ照明器具に適合する電源分岐盤の設置作業を効率よく実施することである。
【課題を解決するための手段】
【０００６】
実施形態に係る電源分岐盤は、調光ブロックと、電源分岐ブロックとを具備する。調光ブロックは、主幹盤の二次側に接続される複数の調光部であって、サイリスタと第１遮断器と調光回路とを有する複数の前記調光部がブロック化される。電源分岐ブロックは、前記主幹盤の二次側に接続される複数の電源分岐部であって、第２遮断器と直回路とを有する複数の前記電源分岐部がブロック化される。
【発明の効果】
【０００７】
本発明によれば、ＬＥＤ照明器具に適合する電源分岐盤の設置作業を効率よく実施することができる。
【図面の簡単な説明】
【０００８】
【図１】図１は、実施形態に係る電源分岐盤の全体構成の一例を示す図である。
【図２Ａ】図２Ａは、実施形態に係る電源分岐盤の取付工程の一例を示す第１の図である。
【図２Ｂ】図２Ｂは、実施形態に係る電源分岐盤の取付工程の一例を示す第２の図である。
【図２Ｃ】図２Ｃは、実施形態に係る電源分岐盤の取付工程の一例を示す第３の図である。
【図２Ｄ】図２Ｄは、実施形態に係る電源分岐盤の取付工程の一例を示す第４の図である。
【図２Ｅ】図２Ｅは、実施形態に係る調光ブロックの一例を示す図である。
【図２Ｆ】図２Ｆは、実施形態に係る電源分岐ブロックの一例を示す図である。
【図３】図３は、実施形態に係る調光部の回路構成の一例を示す図である。
【図４】図４は、実施形態に係る電源分岐部の回路構成の一例を示す図である。
【図５】図５は、実施形態に係る操作卓の表示画面の第１例を示す図である。
【図６】図６は、実施形態に係る操作卓の表示画面の第２例を示す図である。
【図７】図７は、実施形態に係る操作卓の表示画面の第３例を示す図である。
【図８】図８は、実施形態に係る操作卓の表示画面の第４例を示す図である。
【図９】図９は、実施形態に係る操作卓の表示画面の第５例を示す図である。
【図１０】図１０は、実施形態に係る電源分岐盤の取付工程のフローチャートである。
【図１１】図１１は、実施形態の変形例に係る電源分岐盤の一例を示す図である。
【発明を実施するための形態】
【０００９】
以下で説明する実施形態に係る電源分岐盤１は、調光ブロック３１と、電源分岐ブロック５１とを具備する。調光ブロック３１は、主幹盤１０の二次側に接続される複数の調光部３０であって、サイリスタ３０ａ、３０ｂと第１遮断器３０ｃと調光回路とを有する複数の調光部３０がブロック化される。電源分岐ブロック５１は、主幹盤１０の二次側に接続される複数の電源分岐部５０であって、第２遮断器５０ａと直回路とを有する複数の電源分岐部５０がブロック化される。
【００１０】
また、以下で説明する実施形態に係る電源分岐盤１において、調光ブロック３１と電源分岐ブロック５１とが、それぞれ既設のフレームＳＦが有する複数の取付部２１〜２３であって、サイズが略等しい取付部２１〜２３に合わせて実装される。
【００１１】
また、以下で説明する実施形態に係る電源分岐盤１において、調光ブロック３１と電源分岐ブロック５１とは、取付部２１〜２３に取り付け可能なサイズである。
【００１２】
また、以下で説明する実施形態に係る電源分岐盤１において、１つの調光ブロック３１に含まれる調光部３０より、１つの電源分岐ブロック５１に含まれる電源分岐部５０のほうが多い。
【００１３】
また、以下で説明する実施形態に係る電源分岐盤１は、電源分岐部５０を制御する制御部７１をさらに具備する。
【００１４】
また、以下で説明する実施形態に係る電源分岐盤１において、制御部７１は、第２遮断器５０ａの補助接点から第２遮断器５０ａのＯＮ／ＯＦＦ情報を検出し、ＯＮ／ＯＦＦ情報を所定の表示装置（盤表示部６０、操作卓８０）に送信する。
【００１５】
また、以下で説明する実施形態に係る電源分岐盤１において、電源分岐部５０は、第２遮断器５０ａの二次側に接続される電流センサ（ＣＴ５０ｃ）をさらに具備する。また、制御部７１は、電流センサ（ＣＴ５０ｃ）から受信した電流値に基づいて、電流値または過負荷警報の少なくとも一方を所定の表示装置（盤表示部６０、操作卓８０）に送信する。
【００１６】
また、以下で説明する実施形態に係る電源分岐盤１において、電源分岐部５０は、第２遮断器５０ａの二次側に接続される漏電センサ（ＺＣＴ５０ｂ）をさらに具備する。また、制御部７１は、漏電センサ（ＺＣＴ５０ｂ）から受信した漏電値に基づいて、漏電値または漏電警報の少なくとも一方を所定の表示装置（盤表示部６０、操作卓８０）に送信する。
【００１７】
また、以下で説明する実施形態に係る電源分岐盤１の取付方法は、取外しステップ（ステップＳ１０）と、取付けステップ（ステップＳ１１）とを含む。取外しステップ（ステップＳ１０）は、主幹盤１０の二次側に接続される複数の調光部３０であって、サイリスタ３０ａ、３０ｂと第１遮断器３０ｃと調光回路とを有する複数の調光部３０がブロック化された調光ブロック３１と、調光ブロック３１が取付けられる取付部２１〜２３を具備するフレームＳＦと、を具備する電源分岐盤１から調光ブロック３１を取り外す。取付けステップ（ステップＳ１１）は、主幹盤１０の二次側に接続される複数の電源分岐部５０であって、第２遮断器５０ａと直回路とを有する複数の電源分岐部５０がブロック化された電源分岐ブロック５１を、調光ブロック３１が取り外された取付部２１〜２３に取付ける。
【００１８】
また、以下で説明する実施形態に係る電源分岐盤１の取付方法において、取付けステップ（ステップＳ１１）は、１つの調光ブロック３１に含まれる調光部３０よりも多くの電源分岐部５０を含む電源分岐ブロック５１を取り付ける。
【００１９】
また、以下で説明する実施形態に係る電源分岐盤１の取付方法において、取付けステップ（ステップＳ１１）は、調光ブロック３１を取り外した取付部２１〜２３に取付け可能なサイズである電源分岐ブロック５１を取り付ける。
【００２０】
また、以下で説明する実施形態に係る電源分岐盤１の取付方法において、取付けステップ（ステップＳ１１）は、電源分岐部５０を制御する制御部７１をさらに取り付ける。
【００２１】
また、以下で説明する実施形態に係る電源分岐盤１の取付方法において、取付けステップ（ステップＳ１１）は、第２遮断器５０ａの補助接点から第２遮断器５０ａのＯＮ／ＯＦＦ情報を検出し、ＯＮ／ＯＦＦ情報を所定の表示装置（盤表示部６０、操作卓８０）に送信する制御部７１を取り付ける。
【００２２】
また、以下で説明する実施形態に係る電源分岐盤１の取付方法において、取付けステップ（ステップＳ１１）は、第２遮断器５０ａの二次側に接続される電流センサ（ＣＴ５０ｃ）をさらに具備する電源分岐部５０と、電流センサ（ＣＴ５０ｃ）から受信した電流値に基づいて、電流値または過負荷警報の少なくとも一方を所定の表示装置（盤表示部６０、操作卓８０）に送信する制御部７１とを取り付ける。
【００２３】
また、以下で説明する実施形態に係る電源分岐盤１の取付方法において、取付けステップ（ステップＳ１１）は、第２遮断器５０ａの二次側に接続される漏電センサ（ＺＣＴ５０ｂ）をさらに具備する電源分岐部５０と、漏電センサ（ＺＣＴ５０ｂ）から受信した漏電値に基づいて、漏電値または漏電警報の少なくとも一方を所定の表示装置（盤表示部６０、操作卓８０）に送信する制御部７１とを取り付ける。
【００２４】
以下、図面を参照して、実施形態に係る電源分岐盤１および電源分岐盤１の取付方法について説明する。なお、実施形態において同一の部位には同一の符号を付し、重複する説明は省略される。
【００２５】
（実施形態）
最初に、図１を参照しながら、実施形態に係る電源分岐盤１について説明する。
【００２６】
［電源分岐盤の全体構成］
まず、本発明の実施形態に係る電源分岐盤１の全体構成の一例について、図１を参照しながら説明する。図１は、実施形態に係る電源分岐盤１の全体構成の一例を示す図である。なお、図１の（ａ）は電源分岐盤１の側面図であり、図１の（ｂ）は電源分岐盤１の上面図である。図１に示す例において、電源分岐盤１は、複数の分電盤２０（２０−１〜２０−１０）を有する。また、かかる電源分岐盤１に隣接して、主幹盤１０が設けられる。
【００２７】
主幹盤１０は、電源分岐盤１の分電盤２０が有する全ての回路の電力供給をまとめて制御する。また、主幹盤１０は、全ての回路に流れる電流の量が所定値を超えると電力供給を遮断する。たとえば、主幹盤１０は、消費電力の増加や漏電等により、各回路を介して供給される電流の合計値が予め設定された所定の閾値を超えた場合に、電力供給を遮断する。
【００２８】
電源分岐盤１は、主幹盤１０から供給される電力を分岐させて、分岐させた電力を複数の照明器具Ｈ１（図３参照）と、複数の照明器具Ｌ１（図４参照）とに供給する。ここで、照明器具Ｈ１は、たとえばハロゲン照明器具（以下、ハロゲン照明器具Ｈ１とも呼称する。）であり、照明器具Ｌ１は、たとえばＬＥＤ照明器具（以下、ＬＥＤ照明器具Ｌ１とも呼称する。）である。
【００２９】
分電盤２０には、それぞれ、所定の回路が形成された調光ブロック３１（図２Ａの（ｂ）参照）や電源分岐ブロック５１（図２Ｃの（ａ）参照）などが取り付け可能に構成される取付部２１（２１−１〜２１−１０）、２２（２２−１〜２２−１０）、２３（２３−１〜２３−１０）、２４（２４−１〜２４−１０）が設けられる。なお、分電盤２０に設けられる取付部の数は４つに限られない。
【００３０】
そして、かかる取付部２１〜２４のうち、少なくとも取付部２１〜２３は、分電盤２０に内蔵される機器を固定する固定部分の仕様が共通である。たとえば、分電盤２０を構成するフレーム（筐体）ＳＦ（図２Ｂ参照）に形成される取り付け穴が、取付部２１〜２３では共通の位置に形成される。
【００３１】
［電源分岐盤の詳細および取付工程］
つづいて、図２Ａ〜図２Ｆ、図３、および図４を参照しながら、電源分岐盤１の詳細な構成および取付工程について説明する。図２Ａは、実施形態に係る電源分岐盤１の取付工程の一例を示す第１の図である。なお、図２Ａでは、複数の分電盤２０のうち、分電盤２０−ｍ、２０−ｎ（ｍ、ｎはそれぞれ１〜１０の整数）を示す。また、図２Ａの（ａ）は取付工程において調光ブロック３１を取り外す前の状態を示し、図２Ａの（ｂ）は取付工程において調光ブロック３１を取り外した後の状態を示す。
【００３２】
図２Ａの（ａ）に示すように、取付工程前の電源分岐盤１には、分電盤２０（２０−ｍ、２０−ｎ）における取付部２１（２１−ｍ、２１−ｎ）、２２（２２−ｍ、２２−ｎ）、２３（２３−ｍ、２３−ｎ）に、調光ブロック３１が取り付けられる。また、取付部２４（２４−ｍ、２４−ｎ）には、照明制御システムの負荷線と接続される端子台４０が取り付けられる。
【００３３】
調光ブロック３１は、複数の調光部３０がブロック化されて構成されたものである。たとえば、図２Ａの（ａ）に示すように、４つの調光部３０がブロック化されて、１つの調光ブロック３１が構成される。
【００３４】
調光部３０は、二次側に接続されるハロゲン照明器具Ｈ１に電力を供給する調光回路を有する。つづいては、かかる調光回路について、図３を参照しながら説明する。図３は、実施形態に係る調光部３０の回路構成の一例を示す図である。
【００３５】
図３の例に示すように、調光部３０は、サイリスタ３０ａ、３０ｂと、第１遮断器３０ｃと、リアクタ３０ｄとを有する。サイリスタ３０ａとサイリスタ３０ｂとは、逆並列接続されてスイッチ部を構成し、かかるスイッチ部の一次側に第１遮断器３０ｃが接続され、スイッチ部の二次側にリアクタ３０ｄが接続される。さらに、調光部３０の二次側に、照明器具Ｈ１が接続される。
【００３６】
また、サイリスタ３０ａ、３０ｂのゲートには、制御部７０から同一の調光信号が供給される。かかる調光信号は、一定の振幅を有し、調光率に対応したパルス幅（時間幅）を有する制御信号である。制御部７０は、たとえば、毎半サイクルでゼロクロス検出後に調光信号に応じたタイミングでかつそのパルス幅に応じたオン期間でこれらのサイリスタ３０ａ、３０ｂを点弧させる位相制御を行う。
【００３７】
その結果、主幹盤１０から照明器具Ｈ１に供給される交流電流は、操作卓８０から制御部７０に送信される調光信号によって、２つのサイリスタ３０ａ、３０ｂが交流１サイクルの正負の毎半サイクルごとに位相制御される。換言すると、操作卓８０から送信される調光信号にしたがって、各照明器具Ｈ１に供給される交流電流の位相制御が行われ、各照明器具Ｈ１の調光が実現される。すなわち、調光部３０は、照明器具Ｈ１を調光可能に構成される調光回路（位相制御回路）を有する。
【００３８】
なお、上述の構成のため、操作卓８０からの操作用のケーブル（制御線）は、調光ブロック３１が設置される分電盤２０の近くまで配設されている。また、ここまで説明した調光部３０の回路構成等はあくまで一例であり、調光部３０内に形成される調光回路や、かかる調光回路における位相制御方法などは、上述の例に限られない。
【００３９】
第１遮断器３０ｃは、たとえば、分岐ブレーカであり、二次側に接続される照明器具Ｈ１に対する電力の供給をＯＮ／ＯＦＦする機能を有する。リアクタ３０ｄは、サイリスタ３０ａ、３０ｂから発生するスイッチングノイズを低減する機能を有する。
【００４０】
そして、図３の例に示すように、分電盤２０（２０−ｍ）では、１つの主幹盤１０から複数の調光部３０に電力を分岐して供給する。そして、かかる複数の調光部３０が、所定の個数（実施例では４個）ごとにブロック化されて、１つの調光ブロック３１を構成する。換言すると、実施形態において、１つの調光ブロック３１には４つの調光回路が備えられる。
【００４１】
図２Ａに戻り、実施形態における電源分岐盤１の取付工程を説明する。最初に、図２Ａの（ａ）に示す取付工程前の電源分岐盤１から、所定の調光ブロック３１を取り外す。たとえば、図２Ａの（ｂ）に示すように、分電盤２０−ｎの取付部２１−ｎ、２２−ｎ、２３−ｎに取り付けられる調光ブロック３１を取り外す。図２Ａの（ｂ）に示すように、取付部２１−ｎ、２２−ｎ、２３−ｎは、開口面ＯＦを有し、分電盤２０−ｎの正面から調光ブロック３１を挿入可能である。
【００４２】
ここで、図２Ｂは、実施形態に係る電源分岐盤１の取付工程の一例を示す第２の図である。図２Ｂに示す例では、図２Ａに示した調光ブロック３１の取り外しを、分電盤２０−ｎの横方向から模式的に示した。図２Ｂの（ａ）に示すように、分電盤２０−ｎは、フレームＳＦを有し、フレームＳＦに取付部２１−ｎ、２２−ｎ、２３−ｎが配設されている。
【００４３】
また、調光ブロック３１は、取付部２１−ｎ、２２−ｎ、２３−ｎの開口面ＯＦよりも小さい略直方体の形状を有し、筐体全体が開口面ＯＦよりも分電盤２０−ｎの奥側に挿入されないように、固定枠ＭＡ（例えば、図２Ｅ参照）が、分電盤２０−ｎの正面方向側に設けられている。なお、固定枠ＭＡと取付部２１−ｎ、２２−ｎ、２３−ｎとは、対応する位置に取り付け穴が配置され、固定部材（たとえば、ボルトやナットなど）で固定されていてもよい。
【００４４】
図２Ｂの（ｂ）に示すように、各取付部２１−ｎ、２２−ｎ、２３−ｎに設置された調光ブロック３１を分電盤２０−ｎの正面方向に引き抜くことで、調光ブロック３１を容易に取り外すことができる。
【００４５】
次に、図２Ｃを用いて、電源分岐ブロック５１を取り付ける処理について説明する。図２Ｃは、実施形態に係る電源分岐盤１の取付工程の一例を示す第３の図である。なお、図２Ｃでは、複数の分電盤２０のうち、分電盤２０−ｍ、２０−ｎ（ｍ、ｎはそれぞれ１〜１０の整数）を示す。また、図２Ｃの（ａ）は取付工程において調光ブロック３１を取り外ずした分電盤２０−ｎに電源分岐ブロック５１を取り付ける前の状態を示し、図２Ｃの（ｂ）は取付工程において電源分岐ブロック５１を取り付けた後の状態を示す。
【００４６】
図２Ｃの（ａ）に示すように、分電盤２０−ｎの取付部２１−ｎ、２２−ｎに、ＬＥＤ照明器具Ｌ１用の電源分岐部５０が複数備えられる電源分岐ブロック５１を取り付ける。ここで、調光ブロック３１と電源分岐ブロック５１とは、サイズが略等しい取付部２１〜２３に合わせて実装することができる。さらに、電源分岐ブロック５１は、フレームＳＦの取り付け穴に嵌まり合う固定部材（たとえば、ボルトやナットなど）の取付位置が調光ブロック３１と共通である。したがって、電源分岐ブロック５１を、問題なく取付部２１−ｎ、２２−ｎに取り付けることができる。
【００４７】
ここで、図２Ｄは、実施形態に係る電源分岐盤１の取付工程の一例を示す第３の図である。図２Ｄに示す例では、図２Ｃに示した電源分岐ブロック５１の取り付けを、分電盤２０ｎの横方向から模式的に示した。図２Ｃの（ａ）に示すように、電源分岐ブロック５１は、調光ブロック３１と同様に、取付部２１−ｎ、２２−ｎ、２３−ｎの開口面ＯＦよりも小さい略直方体の形状を有し、筐体全体が開口面ＯＦよりも分電盤２０−ｎの奥側に挿入されないように、開口面ＯＦよりも大きい固定領域ＭＡが、分電盤２０−ｎの正面側に設けられている。
【００４８】
図２Ｄの（ａ）に示すように、このような電源分岐ブロック５１は、取付部２１−ｎ、２２−ｎ、２３−ｎの開口面ＯＦから挿入可能である。この結果、図２Ｄの（ｂ）に示すように、電源分岐ブロック５１を、分電盤２０−ｎの正面から挿入することで、容易に取付部２１−ｎ、２２−ｎに取り付けることができる。なお、電源分岐ブロック５１の固定領域ＭＡと取付部２１−ｎ、２２−ｎ、２３−ｎとは、対応する位置に取り付け穴が配置され、固定部材（たとえば、ボルトやナットなど）で固定されていてもよい。
【００４９】
ここで、分電盤２０−ｎにおいて調光ブロック３１を電源分岐ブロック５１に置き換える場合は、制御部７０が制御部７１に置換される。そして、各電源分岐ブロック５１は、制御部７１と接続され、制御部７１による制御に従い、電力の供給を行う。
【００５０】
続いて、図２Ｅおよび図２Ｆを用いて、調光ブロック３１および電源分岐ブロック５１の一例を説明する。図２Ｅは、実施形態に係る調光ブロック３１の一例を示す図である。図２Ｅに示す例では、調光ブロック３１の一例を模式的に記載した。
【００５１】
例えば、図２Ｅに示すように、調光ブロック３１は、箱型の筐体Ｂ１の内部に、第１遮断器３０ｃと、サイリスタ３０ａ、３０ｂと、第１遮断器３０ｃと、リアクタ３０ｄとを有する調光ユニット３０ｅとの組が複数配置されている。また、調光ブロック３１は、調光ユニット３０ｅにより生じる熱を冷却するための冷却ユニットＦＵ（例えば、ファン等）を有し、筐体Ｂ１に、冷却のための開口ＦＨが設置されている。
【００５２】
ここで、図２Ｅに示す例では、筐体Ｂ１の外形は、取付部２１−ｎ、２２−ｎ、２３−ｎが有する開口面ＯＦに挿入可能に設計される。より具体的には、筐体Ｂ１の水平方向の長さＳＨ１は、開口面ＯＦの水平方向の長さよりも短く設計され、筐体Ｂ１の垂直方向の長さＳＶ１は、開口面ＯＦの垂直方向の長さよりも短く設計される。また、筐体Ｂ１の正面方向側には、開口面ＯＦよりも大きい固定枠ＭＡが設けられており、取付部２１−ｎ、２２−ｎ、２３−ｎが有する開口面ＯＦに調光ブロック３１の全体が挿入されることを防ぐ。
【００５３】
図２Ｆは、実施形態に係る電源分岐ブロック５１の一例を示す図である。図２Ｆに示す例では、電源分岐ブロック５１の一例を模式的に記載した。
【００５４】
例えば、図２Ｆに示すように、電源分岐ブロック５１は、開口を有する枠型の筐体Ｂ２を有し、筐体Ｂ２の開口に一部がはめ込まれるように複数の電源分岐部５０が複数取付けられている。筐体Ｂ２の水平方向の長さＳＨ２は、開口面ＯＦの水平方向の長さよりも短く、図２Ｅに示した調光ブロック３１が有する筐体Ｂ１の水平方向の長さＳＨ１と略同一に設計される。また、筐体Ｂ２の垂直方向の長さＳＶ２は、開口面ＯＦの垂直方向の長さよりも短く、図２Ｆに示した調光ブロック３１が有する筐体Ｂ１の垂直方向の長さＳＶ１と略同一に設計される。また、筐体Ｂ２は、開口面ＯＦよりも大きく設計されており（例えば、固定枠ＭＡと略同一の大きさ）、取付部２１−ｎ、２２−ｎ、２３−ｎが有する開口面ＯＦに電源分岐ブロック５１全体が挿入されることを防ぐ。
【００５５】
このように、実施形態では、調光ブロック３１から電源分岐ブロック５１にブロックごと交換できるようにすることにより、既存の電源分岐盤１のフレームＳＦをそのまま利用することができる。したがって、実施形態によれば、既存の電源分岐盤１すべてを取り外す必要がなくなることから、ＬＥＤ照明器具Ｌ１に適合する電源分岐盤１の設置作業を効率よく実施することができる。
【００５６】
たとえば、調光ブロック３１と電源分岐ブロック５１とは略等しいサイズであればよい。少なくとも、調光ブロック３１と電源分岐ブロック５１とは同じ取付部２１〜２３に取り付け可能なサイズであればよい。たとえば、調光ブロック３１と電源分岐ブロック５１とは、奥行きが異なっていてもよい。
【００５７】
また、たとえば、調光ブロック３１および電源分岐ブロック５１は、挿入される取付部２１〜２３の開口面よりも小さく、挿入時にフレームＳＦによって指示される大きさおよび形状であれば、任意の大きさおよび形状を採用することも可能である。
【００５８】
また、実施形態では、既存の端子台４０、およびかかる端子台４０に接続される既存の負荷線は、そのまま残すとよい。これにより、端子台４０や負荷線を交換する工程を省くことができることから、ＬＥＤ照明器具Ｌ１に適合する電源分岐盤１の設置作業をさらに効率よく実施することができる。
【００５９】
電源分岐ブロック５１は、複数の電源分岐部５０がブロック化されて構成されたものである。たとえば、図２Ｃの（ａ）に示すように、６つの電源分岐部５０がブロック化されて、１つの電源分岐ブロック５１が構成される。
【００６０】
電源分岐部５０は、二次側に接続される照明器具Ｌ１に電力を供給する直回路を有する。つづいては、かかる直回路について、図４を参照しながら説明する。図４は、実施形態に係る電源分岐部５０の構成の一例を示す図である。
【００６１】
図４の例に示すように、電源分岐部５０は、第２遮断器５０ａと、漏電センサの一例であるＺＣＴ（Zero-phase-sequence  Current  Transformer：零相変流器）５０ｂと、電流センサの一例であるＣＴ（Current  Transformer：変流器）５０ｃとを有する。そして、第２遮断器５０ａの二次側に、ＺＣＴ５０ｂとＣＴ５０ｃとが直列に接続される。さらに、電源分岐部５０の二次側に、照明器具Ｌ１が接続される。すなわち、電源分岐部５０は、位相制御などを行わずに照明器具Ｌ１に直接電力を供給する直回路を有する。
【００６２】
第２遮断器５０ａは、たとえば、分岐ブレーカであり、二次側に接続される照明器具Ｌ１に対する電力の供給をＯＮ／ＯＦＦする機能を有する。ＺＣＴ５０ｂは、電源分岐部５０内の回路から漏れる漏電値を検出する機能を有する。ＣＴ５０ｃは、電源分岐部５０内の回路に流れる電流値を検出する機能を有する。
【００６３】
そして、図４の例に示すように、分電盤２０（２０−ｎ）では、１つの主幹盤１０から複数の電源分岐部５０に電力を分岐して供給する。そして、かかる複数の電源分岐部５０が、所定の個数（実施例では６個）ごとにブロック化されて、図２Ｃの（ａ）に示す電源分岐ブロック５１を構成する。換言すると、実施形態において、１つの電源分岐ブロック５１には６つの直回路が備えられる。
【００６４】
ここまで説明したように、実施形態では、１つの調光ブロック３１に設けられる調光部３０より、１つの電源分岐ブロック５１に設けられる電源分岐部５０のほうが多い。なぜなら、電源分岐部５０には発熱体であるサイリスタ３０ａ、３０ｂなどを搭載する必要がないため、１つのブロックに数多く搭載したとしても、放熱性を十分に確保することができるからである。
【００６５】
これにより、同じ数の照明器具Ｈ１、Ｌ１に電力を供給しようとした場合、電源分岐部５０のほうが調光部３０より小さいスペースに収めることができる。たとえば、図２Ｃの（ｂ）の例に示すように、１２個の照明器具Ｈ１に電力を供給する場合、取付部は３つ（取付部２１−ｍ〜２３−ｍ）必要となるが、１２個の照明器具Ｌ１に電力を供給する場合、取付部は２つ（取付部２１−ｎ、２２−ｎ）でよい。
【００６６】
したがって、実施形態によれば、１つの調光ブロック３１に設けられる調光部３０より、１つの電源分岐ブロック５１に設けられる電源分岐部５０を多くすることにより、電源分岐盤１を省スペース化することができる。たとえば、取付工程により形成される空きスペース（たとえば、取付部２３−ｎ）に、盤表示部６０や、電源分岐部５０を制御する制御部７１（図４参照）などを取り付けることができる。
【００６７】
なお、１つの調光ブロック３１に設けられる調光部３０は４個に限られず、１つの電源分岐ブロック５１に設けられる電源分岐部５０は６個に限られない。また、盤表示部６０の詳細については後述する。
【００６８】
さらに、実施形態では、ハロゲン照明器具Ｈ１に電力を供給する調光ブロック３１と、ＬＥＤ照明器具Ｌ１に電力を供給する電源分岐ブロック５１とが混在する。すなわち、既存のハロゲン照明器具Ｈ１を残しながら、部分的にＬＥＤ照明器具Ｌ１に更新することができる。したがって、実施形態によれば、ＬＥＤ照明器具Ｌ１への切り替えを低コストで実施することができる。
【００６９】
図４に戻り、ＬＥＤ照明器具Ｌ１用の照明制御システムにおけるその他の部位について説明する。ＺＣＴ５０ｂが検出した漏電値、およびＣＴ５０ｃが検出した電流値は、電源分岐部５０を制御する制御部７１に送信される。また、制御部７１には、第２遮断器５０ａの補助接点から、第２遮断器５０ａのＯＮ／ＯＦＦ情報が送信される。
【００７０】
そして、漏電値やかかる漏電値より導出される漏電警報、電流値やかかる電流値より導出される過負荷警報、ＯＮ／ＯＦＦ情報などの状態監視信号は、制御部７１から上述の盤表示部６０や、分電盤２０−ｎの外部に設けられる操作卓８０に送信される。
【００７１】
盤表示部６０は、所定の表示装置の一例であり、電源分岐部５０の回路情報を表示する表示部を備える。また、盤表示部６０は、主幹盤１０から主回路に関する主回路情報を受信して表示する。盤表示部６０は、たとえば、液晶モニタやタッチパネル等の表示装置を用いて実現される。
【００７２】
操作卓８０は、所定の表示装置の別の一例である。操作卓８０は、電源分岐部５０の回路情報を表示する表示部と、操作を受け付ける受付部とを備え、表示部と受付部とは一体の機器で構成される。また、操作卓８０は、主幹盤１０から主回路に関する主回路情報を受信して表示する。操作卓８０は、たとえば、液晶モニタやタッチパネル等の表示装置を用いて実現される。
【００７３】
操作卓８０は、各照明器具Ｌ１に対して調光信号を送信し、それぞれの照明器具Ｌ１における調光状態を独立して制御することができる。
【００７４】
また、操作卓８０は、電源分岐部５０の電力供給を第２遮断器５０ａによって制御する操作を受け付ける。たとえば、操作卓８０は、画面上に表示された電源分岐部５０に対応するオブジェクトを選択する操作を受け付けることで、電源分岐部５０に電力を供給する第２遮断器５０ａをＯＮまたはＯＦＦに切り替える操作を受け付ける。たとえば、操作卓８０は、異常状態を示す電源分岐部５０に対応するオブジェクトを選択する操作を受け付ける。
【００７５】
すなわち、操作卓８０からの制御により、各電源分岐部５０の第２遮断器５０ａの制御を行うことができる。なお、同様に、操作卓８０からの制御により、各調光部３０の第１遮断器３０ｃの制御を行うこともできる。
【００７６】
さらに、実施形態では、上述のように既設の調光ブロック３１の近傍まで操作卓８０からの制御線が配設されている。したがって、実施形態によれば、調光ブロック３１を電源分岐ブロック５１に交換した際に、操作卓８０からの制御線を制御部７１に容易に設置することができる。
【００７７】
［操作卓における情報の表示］
つづいて、操作卓８０における各種情報の表示について説明する。操作卓８０は、たとえば、オペレータによる操作に従って、種々の情報を画面上に表示する。以下においては、操作卓８０が表示する情報を、図５〜図９を用いて詳細に説明する。なお、以下に示す各種情報は、盤表示部６０でも表示することができる。
【００７８】
図５は、実施形態に係る操作卓８０の表示画面の第１例を示す図である。図５に示すように、操作卓８０は、電源分岐盤１の状態に関する情報として、電源分岐部５０に関する回路情報を画面上に表示する。たとえば、操作卓８０は、電源分岐部５０ごとに、電源分岐部５０の回路番号、電流値、リレー状態（ＯＮまたはＯＦＦ）、ＯＮ／ＯＦＦ回数、ＭＣＣＢ回数（ＭＣＣＢ（Molded  Case  Circuit  Breaker：配線用遮断器）が遮断された回数）、手元操作中であるか否かの情報、出力中であるか否かの情報、過負荷中であるか否かの情報、漏電しているか否かの情報、ＭＣＣＢがＯＦＦであるか否かの情報などを対応付けて表示する。
【００７９】
このように、操作卓８０が図５に示した情報を表示することにより、オペレータは、アラームをモニタすることができる。なお、操作卓８０は、電源分岐部５０に関する回路情報を画面上に表示する際に、各情報を、点滅の有無、色分け、強調表示の有無などを用いて表示してもよい。
【００８０】
図６は、実施形態に係る操作卓８０の表示画面の第２例を示す図である。図６に示すように、操作卓８０は、電源分岐盤１の状態に関する情報として、電源分岐部５０に印加されている電圧値や電流値を画面上に表示する。たとえば、操作卓８０は、Ｒ相、Ｓ相、Ｔ相ごとに電圧値や電流値を画面上にメーター表示する。このように、操作卓８０が図６に示した情報を表示することにより、オペレータは、電圧値や電流値をモニタすることができる。
【００８１】
図７は、実施形態に係る操作卓８０の表示画面の第３例を示す図である。図７に示すように、操作卓８０は、電源分岐盤１の状態に関する情報として、電源分岐盤１内の主回路に印加された電圧値や電流値などの履歴を画面上に表示する。たとえば、操作卓８０は、Ｒ相、Ｓ相、Ｔ相ごとに電圧値や電流値などの時間ごとの変化を画面上に表示する。
【００８２】
図７では、操作卓８０が、Ｒ相の電圧値の時間ごとの変化である電圧波形を画面上に表示した場合を示す。このように、操作卓８０が図７に示した情報を表示することにより、オペレータは、電圧値や電流値の波形をモニタすることができる。なお、操作卓８０がサンプリングして表示させる波形は、１周期分であるが、瞬停（瞬断）を検出するには、複数周期分の波形が必要となる。
【００８３】
図８は、実施形態に係る操作卓８０の表示画面の第４例を示す図である。操作卓８０が備える画面がタッチパネル等である場合、図８に示すように、操作卓８０は、操作卓８０の操作画面として、電源分岐部５０の回路番号を示すボタン（第２遮断器５０ａに対応するボタン）を画面上に表示する。
【００８４】
図８では、操作卓８０が、回路番号が「１」〜「１２」である電源分岐部５０のボタンを画面上に表示した場合を示す。画面上に表示されているボタンがオペレータによって押下されると、操作卓８０は、押下されたボタンに対応する第２遮断器５０ａのＯＮとＯＦＦとを切り替える。操作卓８０は、ボタンが押下される度に（押下された回数に応じて）、第２遮断器５０ａのＯＮとＯＦＦとを順番に切り替える。このように、電源分岐盤１が画面上に表示するボタンは、ＯＮ／ＯＦＦ制御スイッチの機能を有する。
【００８５】
図９は、実施形態に係る操作卓８０の表示画面の第５例を示す図である。操作卓８０は、電源分岐盤１内でのアラームに関する情報として、電源分岐部５０で発生したアラームのログを画面上に表示する。たとえば、操作卓８０は、アラームの発生日、アラームが発生した時間、電源分岐部５０の状態、メッセージなどを画面上に表示する。操作卓８０がアラームに関する情報を表示することにより、オペレータは、アラームのログをモニタすることができる。
【００８６】
［電源分岐盤の取付工程］
次いで、実施形態に係る電源分岐盤１の取付工程について、図１０を参照しながら説明する。図１０は、実施形態に係る電源分岐盤１の取付工程のフローチャートである。
【００８７】
最初に、既存の電源分岐盤１に取り付けられている所定の調光ブロック３１を、取付部２１〜２３から取り外す（ステップＳ１０）。つづいて、調光ブロック３１が取り外された取付部２１〜２３に、電源分岐ブロック５１を取り付けて（ステップＳ１１）、取付工程を終了する。なお、ステップＳ１１では、制御部７１などをさらに取り付けてもよい。
【００８８】
（変形例）
上述の実施形態では、１つの分電盤２０（２０−ｍ、２０−ｎ）ごとに、調光ブロック３１または電源分岐ブロック５１を揃えて取り付けた構成例を示した。ここで、１つの分電盤２０に調光ブロック３１または電源分岐ブロック５１を揃えて取り付けなくともよい。
【００８９】
図１１は、実施形態の変形例に係る電源分岐盤１の一例を示す図である。図１１の例に示すように、１つの分電盤２０（２０−ｎ）において、取付部２１−ｎには調光ブロック３１を設けたままにするとともに、取付部２２−ｎからは調光ブロック３１を取り外して、かかる取付部２２−ｎに電源分岐ブロック５１を取り付けてもよい。
【００９０】
すなわち、１つの分電盤２０に調光ブロック３１と電源分岐ブロック５１とを混在させて取り付けてもよい。これにより、電源分岐盤１の分電盤２０内に、さらに柔軟に調光ブロック３１と電源分岐ブロック５１とを配置することができる。なお、この場合、図１１の例に示すように、取付部２３−ｎからも調光ブロック３１を取り外して、かかる取付部２３−ｎに盤表示部６０などを取り付けてもよい。
【００９１】
上記実施形態では、調光ブロック３１を取り外した取付部２１〜２３の空きスペースに盤表示部６０などを設けた例について示したが、かかる空きスペースは一旦そのままにしてもよい。これにより、次回以降の作業で電源分岐ブロック５１を取り付ける取付部として活用することができる。また、かかる空きスペースを集約することにより、分電盤２０全体を撤去することもできることから、撤去したスペースに別の機器を設置することもできる。
【００９２】
また、盤表示部６０または操作卓８０は、電源分岐部５０に関する回路情報を電源分岐部５０の配置と対応付けて表示してもよい。これにより、異常状態の電源分岐部５０に対応する第２遮断器５０ａをオペレータに把握させることができる。一方で、盤表示部６０または操作卓８０は、電源分岐部５０に関する回路情報を、電源分岐部５０の配置とは異なる各種の形態で表示してもよい。
【００９３】
他の例では、盤表示部６０または操作卓８０は、電源分岐部５０に関する回路情報を、電源分岐部５０の二次側に接続された照明器具Ｌ１の設置箇所と対応付けて表示してもよい。たとえば、盤表示部６０や操作卓８０は、電源分岐部５０の出力状態や異常状態を、電源分岐部５０の二次側に接続された照明器具Ｌ１が設置されているステージや舞台裏、廊下などといった場所を示す情報と対応付けて表示することができる。
【００９４】
また、上記実施形態では、照明制御システムは、電源分岐盤１に接続される装置として照明器具Ｈ１、Ｌ１を一例に説明したが、照明器具Ｈ１、Ｌ１に限らず、可搬型の調光器などその他の各種の舞台装置が回路に接続されてもよい。
【００９５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９６】
１    電源分岐盤
１０    主幹盤
２０    分電盤
３０    調光部
３０ａ、３０ｂ  サイリスタ
３０ｃ  第１遮断器
３１    調光ブロック
４０    端子台
５０    電源分岐部
５０ａ  第２遮断器
５０ｂ  ＺＣＴ（漏電センサの一例）
５０ｃ  ＣＴ（電流センサの一例）
５１    電源分岐ブロック
６０    盤表示部
７０、７１  制御部
８０    操作卓
Ｈ１    照明器具（ハロゲン照明器具）
Ｌ１    照明器具（ＬＥＤ照明器具）
ＳＦ    フレーム
【図１】
2018206473.tif 000003
【図２Ａ】
2018206473.tif 000004
【図２Ｂ】
2018206473.tif 000005
【図２Ｃ】
2018206473.tif 000006
【図２Ｄ】
2018206473.tif 000007
【図２Ｅ】
2018206473.tif 000008
【図２Ｆ】
2018206473.tif 000009
【図３】
2018206473.tif 000010
【図４】
2018206473.tif 000011
【図５】
2018206473.tif 000012
【図６】
2018206473.tif 000013
【図７】
2018206473.tif 000014
【図８】
2018206473.tif 000015
【図９】
2018206473.tif 000016
【図１０】
2018206473.tif 000017
【図１１】
2018206473.tif 000018